(57)【特許請求の範囲】
【請求項１】
指針によって指示される、前記指針の回転軸を中心とした円弧に沿った目盛画像が表示される表示手段と、センサが検出した測定対象値を入力する入力手段と、前記目盛画像上の前記測定対象値を指示するように回転軸を中心として前記指針を回転移動させる指針移動手段と、切替命令に応じて尺度の異なる少なくとも２つの目盛画像のうち前記表示手段に表示されている一方の目盛画像から他方の目盛画像に切り替える切替手段とを備え、前記切替手段が、前記一方の目盛画像上の前記指針の指示位置と前記他方の目盛画像上の前記指針の指示位置とが一致するように前記一方の目盛画像から前記他方の目盛画像に切り替える指示装置において、
前記切替手段が、前記切替命令の入力に応じて前記一方の目盛画像が前記表示手段から消えるまで前記一方の目盛画像の濃度を段階的に小さくすると同時に、前記表示手段上に前記一方の目盛画像の内側に縮尺した前記他方の目盛画像を表示させて、そして、所定濃度となるまで前記他方の目盛画像の濃度を段階的に大きくすると共に前記他方の目盛画像の尺度を段階的に大きくして前記目盛画像を切り替える
ことを特徴とする指示装置。
【請求項２】
指針によって指示される目盛画像が表示される表示手段と、センサが検出した測定対象値を入力する入力手段と、前記目盛画像上の前記測定対象値を指示するように前記指針を移動させる指針移動手段と、切替命令に応じて尺度の異なる少なくとも２つの目盛画像のうち前記表示手段に表示されている一方の目盛画像から他方の目盛画像に切り替える切替手段とを備え、前記切替手段が、前記一方の目盛画像上の前記指針の指示位置と前記他方の目盛画像上の前記指針の指示位置とが一致するように前記一方の目盛画像から前記他方の目盛画像に切り替える指示装置において、
前記切替手段によって前記一方の目盛画像から前記他方の目盛画像に切り替えられた後、前記他方の目盛画像が前記表示手段上の予め定めた位置になるように前記指針と共に前記他方の目盛画像を移動させる指針・目盛移動手段を有することを特徴とする指示装置。
【請求項３】
前記指針・目盛移動手段による前記指針及び前記他方の目盛画像の移動中に、前記指針及び前記他方の目盛画像を点滅させる、または、前記表示手段に切替中の旨を表示する報知手段をさらに有することを特徴とする請求項２記載の指示装置。
【発明の詳細な説明】
【技術分野】
【０００１】
本発明は、指示装置に係り、特に、目盛画像上に指針画像を重ねた指示計器画像が表示される指示装置に関するものである。
【背景技術】
【０００２】
従来より、例えば図９に示すように、ＣＲＴ、ＬＣＤなどの表示器を用いて画像で指示計器を表示することが知られている。同図に示すように、この指示計器は例えばＴＦＴ−液晶表示器から構成されている。液晶表示器には、例えば車両エンジンの回転数（測定対象値）を示す目盛画像１０と、目盛画像１０上に重ねられた指針画像１３（指針）とが表示されている。
【０００３】
上述した指示計器によれば、エンジンの回転数を示す目盛が画像で表示されているので、図９（Ａ）、（Ｂ）に示すように目盛画像１０の尺度を切り替えることができる。同図（Ａ）に示すように、通常は０（ｒｐｍ）〜１０×１０００（ｒｐｍ）の目盛画像１０が液晶表示器に表示されている。これに対して、例えばユーザが図示しないスケールチェンジボタンを押すと、同じ範囲に２×１０００（ｒｐｍ）〜８×１０００（ｒｐｍ）の目盛画像１０が液晶表示器に表示される。これにより、目盛板上に指針を配置した従来の指示計器には実現できなかったスケールチェンジが可能になる。
【特許文献１】特開２０００−３３００９３号公報
【特許文献２】特開２００４−２３７８４４号公報
【特許文献３】特開２００５−２３９０４２号公報
【特許文献４】特開２００４−３２２８０３号公報
【発明の開示】
【発明が解決しようとする課題】
【０００４】
しかしながら、図９（Ａ）に示す表示から図９（Ｂ）に示す表示への単純な切り替えは、ユーザにとって唐突な変化であり、違和感が大きいという問題があった。また、目盛画像１０に合わせて指針画像１３の位置が急変するので、視認上、好ましくないという問題もあった。
【０００５】
そこで、本発明は、上記のような問題点に着目し、唐突な印象を受けることなく、違和感のないスケールチェンジが可能となる指示装置を提供することを課題とする。
【課題を解決するための手段】
【０００６】
上記課題を解決するためになされた請求項１記載の発明は、指針によって指示される、前記指針の回転軸を中心とした円弧に沿った目盛画像が表示される表示手段と、センサが検出した測定対象値を入力する入力手段と、前記目盛画像上の前記測定対象値を指示するように回転軸を中心として前記指針を回転移動させる指針移動手段と、切替命令に応じて尺度の異なる少なくとも２つの目盛画像のうち前記表示手段に表示されている一方の目盛画像から他方の目盛画像に切り替える切替手段とを備え、前記切替手段が、前記一方の目盛画像上の前記指針の指示位置と前記他方の目盛画像上の前記指針の指示位置とが一致するように前記一方の目盛画像から前記他方の目盛画像に切り替える指示装置において、前記切替手段が、前記切替命令の入力に応じて前記一方の目盛画像が前記表示手段から消えるまで前記一方の目盛画像の濃度を段階的に小さくすると同時に、前記表示手段上に前記一方の目盛画像の内側に縮尺した前記他方の目盛画像を表示させて、そして、所定濃度となるまで前記他方の目盛画像の濃度を段階的に大きくすると共に前記他方の目盛画像の尺度を段階的に大きくして前記目盛画像を切り替えることを特徴とする指示装置に存する。
【０００７】
請求項１記載の発明によれば、切替手段が、一方の目盛画像上の指針の指示位置と他方の目盛画像上の指針の指示位置とが一致するように一方の目盛画像から他方の目盛画像に切り替えるので、一方の目盛画像から他方の目盛画像に切り替えても指針の指示位置が変わらない。
【０００９】
また、請求項１記載の発明によれば、切替手段が一方の目盛画像の濃度を段階的に小さくすると同時に他方の目盛画像の濃度を段階的に大きくして切り替えるので、一方の目盛画像が徐々に消えると同時に他方の目盛画像が徐々に表示される。
【００１１】
また、請求項１記載の発明によれば、切替手段が、切替命令の入力に応じて一方の目盛画像の内周側に縮尺した他方の目盛画像を表示した後、その他方の目盛画像の尺度を段階的に大きくして目盛画像を切り替えるので、切替によって尺度の異なる２つの目盛画像を同時に表示しても両画像が重なることがない。
【００１４】
請求項２記載の発明は、指針によって指示される目盛画像が表示される表示手段と、センサが検出した測定対象値を入力する入力手段と、前記目盛画像上の前記測定対象値を指示するように前記指針を移動させる指針移動手段と、切替命令に応じて尺度の異なる少なくとも２つの目盛画像のうち前記表示手段に表示されている一方の目盛画像から他方の目盛画像に切り替える切替手段とを備え、前記切替手段が、前記一方の目盛画像上の前記指針の指示位置と前記他方の目盛画像上の前記指針の指示位置とが一致するように前記一方の目盛画像から前記他方の目盛画像に切り替える指示装置において、前記切替手段によって前記一方の目盛画像から前記他方の目盛画像に切り替えられた後、前記他方の目盛画像が前記表示手段上の予め定めた位置になるように前記指針と共に前記他方の目盛画像を移動させる指針・目盛移動手段を有することを特徴とする指示装置に存する。
【００１５】
請求項２記載の発明によれば、切替手段が、一方の目盛画像上の指針の指示位置と他方の目盛画像上の指針の指示位置とが一致するように一方の目盛画像から他方の目盛画像に切り替えるので、一方の目盛画像から他方の目盛画像に切り替えても指針の指示位置が変わらない。しかも、指針・目盛移動手段が、一方の目盛画像から他方の目盛画像に切り替えられた後、他方の目盛画像が表示手段上の予め定めた位置になるように指針と共に他方の目盛画像を移動させる。従って、表示手段上の予め定めた位置、つまり最適な位置に他方の目盛画像を表示することができる。
【００１６】
請求項３記載の発明は、前記指針・目盛移動手段による前記指針及び前記他方の目盛画像の移動中に、前記指針及び前記他方の目盛画像を点滅させる、または、前記表示手段に切替中の旨を表示する報知手段をさらに有することを特徴とする請求項２記載の指示装置に存する。
【００１７】
請求項３記載の発明によれば、報知手段が、指針・目盛移動手段による指針及び他方の目盛画像の移動中に、指針及び他方の目盛画像を点滅させる、または、表示手段に切替中の旨を表示する。従って、指針及び他方の目盛画像の移動が目盛画像の切替に起因することをユーザに報知できる。
【発明の効果】
【００２０】
以上説明したように請求項１記載の発明によれば、一方の目盛画像から他方の目盛画像に切り替えても指針の指示位置が変わらないので、唐突な印象を受けることなく、違和感のないスケールチェンジが可能となる。
【００２１】
また、請求項１記載の発明によれば、一方の目盛画像が徐々に消えると同時に他方の目盛画像が徐々に表示されるので、より一層、唐突な印象を受けることなく、違和感のないスケールチェンジが可能となる。
【００２２】
また、請求項１記載の発明によれば、切替によって尺度の異なる２つの目盛画像を同時に表示しても両画像が重なることがないので、切替中の見た目が良い。
【００２４】
請求項２記載の発明によれば、一方の目盛画像から他方の目盛画像に切り替えても指針の指示位置が変わらないので、唐突な印象を受けることなく、違和感のないスケールチェンジが可能となる。しかも、表示手段上の予め定めた位置、つまり最適な位置に他方の目盛画像を表示することができるので、切り替え後の目盛画像の表示に違和感のないスケールチェンジが可能となる。
【００２５】
請求項３記載の発明によれば、指針及び他方の目盛画像の移動が目盛画像の切替に起因することをユーザに報知できるので、目盛画像の切替に起因する指針の移動を測定対象値の変化と誤認識することがなくなる。
【発明を実施するための最良の形態】
【００２７】
以下、本発明の一実施の形態を図面に基づいて説明する。図１は、本発明の指示装置の一実施の形態を示すブロック図である。図２は、図１に示す液晶表示器に表示される画像の一例を示す。同図に示すように、指示装置は、ＴＦＴ型の液晶表示器１０（表示手段）と、Ｙドライバ２１と、Ｘドライバ２２と、ＬＣＤ電源２３と、グラフィックコントローラ２４と、中央演算処理装置（ＣＰＵ）２５とを有している。
【００２８】
上記液晶表示器１０は、マトリクス状に配置されたＹ行Ｘ列の液晶素子と、このＹ行Ｘ列の液晶素子の背面に設けられた面光源（何れも図示せず）とを有している。各液晶素子には、Ｒ（赤）、Ｇ（緑）、Ｂ（青）のカラーフィルタＣＦが順次設けられている。この液晶表示器１０は、例えば車両のコントロールパネルに配置される。液晶表示器１０には、図２に示すように、車両の燃料残量を示す燃料計画像３１、車両の速度を示す速度計画像３２、車両のエンジン回転数を示す回転計画像３３、水温を示す温度計画像３４、走行距離表示画像３５、シフト表示画像３６、ウォーニング画像３７などが表示される。
【００２９】
Ｙドライバ２１は、各行の液晶素子の一端に設けられたＹ行電極ＥYに接続されている。Ｘドライバ２２は、各列の液晶素子の他端に設けられたＸ列電極ＥXに接続されている。即ち、各液晶素子は、Ｙ行電極ＥYとＸ列電極ＥXとの間に挟まれている。
【００３０】
Ｙドライバ２１、Ｘドライバ２２は、ＬＣＤ電源２３から電源供給を受けている。ＬＣＤ電源２３は、バッテリ電圧＋ＢからＹドライバ２１、Ｘドライバ２２、後述するグラフィックコントローラ２４用の定電圧を生成している。上記Ｙドライバ２１、Ｘドライバ２２は、グラフィックコントローラ２４によって制御される。
【００３１】
上記ＣＰＵ２５には、入出力端（Ｉ／Ｏ）２７を介してイグニッション（ＩＧＮ）スイッチが接続されている。ＣＰＵ２５のＶｃｃ端子、ＲＳＴ端子、ＳＬＰ端子にはそれぞれ、ＣＰＵ電源２６が接続されている。ＣＰＵ電源２６は、バッテリ電圧＋ＢからＣＰＵ２５用の電源電圧を作って、その電源電圧をＣＰＵ２５のＶｃｃ端子に供給する。ＣＰＵ２５はＶｃｃ端子からの電源電圧によって動作を行う。
【００３２】
ＣＰＵ電源２６は、ＣＰＵ２５のＲＳＴ端子にリセット命令を出力する。このリセット命令に応じてＣＰＵ２５はグラフィックコントローラ２４にリセット信号ＲＳＴを出力する。このリセット信号ＲＳＴに応じてグラフィックコントローラ２４は、液晶表示器１０に表示されている画像をリセット（消去）する。ＣＰＵ２５は、ＩＧＮスイッチがオフされるとＳＬＰ端子からＣＰＵ電源２６に対してスリープ命令を出力する。スリープ命令に応じてＣＰＵ電源２６は、ＣＰＵ２５のＶｃｃ端子に供給する電源電圧を下げてＣＰＵ２５をスリープ（省電力）モードにする。
【００３３】
ＣＰＵ２５には、Ｉ／Ｏ２８を介して車両データが入力される。車両データは、ＣＰＵ２５とＣＡＮ通信可能な他のＣＰＵから送信されるデータである。車両データは、車両の速度や、エンジン回転数（測定対象値）などのデータを含んでいる。
【００３４】
ＣＰＵ２５には、ＥＥＰＲＯＭ２９が接続されている。ＥＥＰＲＯＭ２９には、指針画像データ、メモリ画像データ、背景画像データ、ウォーニング画像データといった画像データなどの各種データが記憶されている。
【００３５】
ＣＰＵ２５には、スケールチェンジスイッチ３０が接続されている。スケールチェンジスイッチ３０は、液晶表示器１０に表示される目盛画像を通常目盛画像及び拡大目盛画像（尺度の異なる少なくとも２つの目盛画像）との間で切り替えたいときにユーザにより操作されるスイッチである。拡大目盛画像は、通常目盛画像よりも尺度が大きい目盛画像である。
【００３６】
上述した構成の指示装置の表示動作について以下説明する。ＣＰＵ２５は、ＥＥＰＲＯＭ２９から指針画像データ、通常目盛画像データ、拡大目盛画像データ、背景画像データ、ウォーニング画像データなどの画像データを読み取り、読み取った複数枚の画像データを積層してレイヤー構造の合成画像データに加工する。そして、ＣＰＵ２５は、加工した合成画像データをグラフィックコントローラ２４に対して出力する。
【００３７】
グラフィックコントローラ２４は、合成画像データをＲＧＢ信号、階調データなどに変換し、そのＲＧＢ信号、階調データに応じてＹドライバ２１、Ｘドライバ２２を駆動する。具体的には、グラフィックコントローラ２４は、垂直走査信号をＹドライバ２１に出力する。Ｙドライバ２１は、垂直走査信号に同期してＹ行電極ＥYの一つを順次選択して、選択されたＹ行電極ＥYに接続された液晶素子に対する電圧の印加が可能な状態にしておく。
【００３８】
グラフィックコントローラ２４は、水平同期信号をＸドライバ２２に出力すると共に水平同期信号に同期してＲＧＢ信号、階調データをＸドライバ２２に出力する。Ｘドライバ２２は、水平同期信号に同期してＸ行電極ＥXの一つを順次選択して、選択されたＸ行電極ＥXに接続された液晶素子にＲＧＢ信号、階調データに応じた電圧を印加する。即ち、Ｙドライバ２１により選択された行とＸドライバ２２により選択された列との交点がＲＧＢ信号、階調データに応じた表示状態となる。そして、Ｙドライバ２１、Ｘドライバ２２によってＸ行Ｙ列の液晶素子全部に対して順次、ＲＧＢ信号、階調データに応じた電圧を印加することにより、合成画像データに対応する画像が液晶表示器１０に表示される。
【００３９】
上記概略で説明した指示装置の動作の詳細を図３〜図６のＣＰＵ２５の処理手順を示すフローチャートを参照して以下説明する。ＣＰＵ２５は、ＩＧＮスイッチのオンに応じて動作を開始して、図示しないイニシャライズを行う。その後、ＣＰＵ２５は、図３に示す通常指示処理を行う。通常指示処理においてＣＰＵ２５はまず、入力手段として働き、Ｉ／Ｏ２８を介して車両データを入力して、入力した車両データに含まれる車両の速度、エンジン回転数（測定対象値）などを読み取る入力処理を行う（ステップＳ１）。
【００４０】
次に、ＣＰＵ２５は、読み取った車両の速度、エンジン回転数などに基づいて指針画像データ、目盛画像データ、背景画像データを積層してレイヤー構造の合成画像データを生成して、図示しないＲＡＭ（記憶手段）の合成画像エリア内に保存する画像データ処理を行う（ステップＳ２）。ここで、ＣＰＵ２５は、予めＲＡＭ内の目盛画像エリアに記憶された画像データを目盛画像データとして積層する。上記イニシャライズによって、目盛画像エリアには通常目盛画像１２に対応するデータが格納される。また、ＣＰＵ２５は、目盛画像上の車両の速度、エンジン回転数などの測定対象値を指示するような指針画像データを生成して積層する。
【００４１】
その後、ＣＰＵ２５は、合成画像エリア内に保存された合成画像データをグラフィックコントローラ２４に対して出力し（ステップＳ３）。スケールチェンジフラグＦ１がオンしていなければ（ステップＳ４でＮ）、ステップＳ１に戻る。この結果、液晶表示器１０には、図２に示すように燃料計画像３１、速度計画像３２、回転計画像３３、温度計画像３４、走行距離表示画像３５、シフト表示画像３６、ウォーニング画像３７が表示される。
【００４２】
上記回転計画像３３は、図７（Ａ）に示すように背景画像１１、この背景画像１１上に重ねた通常目盛画像１２、この通常目盛画像１２上に重ねた指針画像１３とを有している。
【００４３】
上記ステップＳ１〜Ｓ３を繰り返すことにより、ＣＰＵ２５は、指針移動手段として働き、通常目盛画像１２上のステップＳ１で入力したエンジン回転数（測定対象値）を指示するように指針画像１３を移動させる。ＣＰＵ２５は、指針画像１３の回転軸を中心として回転移動させる。通常目盛画像１２と後述する拡大目盛画像１５は指針画像１３の回転軸を中心とした円弧上に沿って表示される。円状の背景画像１１は、その中心が指針画像１３の回転軸に位置する。
【００４４】
一方、スケールチェンジフラグＦ１がオンであれば（ステップＳ４でＹ）、ＣＰＵ２５は、第１スケールチェンジ処理を開始して（ステップＳ５）、通常指示処理を終了する。なお、スケールチェンジフラグＦ１は、スケールチェンジスイッチ３０が操作されたときにオンされるフラグである。また、エンジン回転数の測定範囲を複数の領域（例えば低回転域、高回転域）に分割して、対象計測値の領域が変わったときにオンされるフラグであってもよい。
【００４５】
図４に示す第１スケールチェンジ処理においてＣＰＵ２５はまず、入力手段として働き、Ｉ／Ｏ２８を介して車両データを入力して、入力した車両データに含まれる車両の速度、エンジン回転数（測定対象値）などを読み取る入力処理を行う（ステップＳ６）。
【００４６】
その後、ＣＰＵ２５は、報知手段として働き、目盛画像エリアに格納されている画像データ（＝通常目盛画像１２）上に「スケールチェンジ」の文字画像１４を重ねて、目盛画像エリアに格納する表示処理を行う（ステップＳ７）。ＣＰＵ２５はさらに、目盛画像エリアに格納されている画像データ（＝通常目盛画像１２＋文字画像１４）上にチェンジ目盛画像（＝拡大目盛画像１５）を重ねて、目盛画像エリアに格納する（ステップＳ８）。
【００４７】
なお、ここで通常目盛画像１２及び拡大目盛画像１５のうち現時点で液晶表示器１０に表示されている方を現目盛画像（＝一方の目盛画像）、表示されていない方をチェンジ目盛画像（＝他方の目盛画像）とする。そして、図７は、現目盛画像である通常目盛画像１２からチェンジ目盛画像である拡大目盛画像１５に切り替えたときの表示例を示している。
【００４８】
ステップＳ８について詳しく説明すると、図７（Ｂ）に示すように、通常目盛画像１２の内周側に縮尺した拡大目盛画像１５を重ねる。このとき、指針画像１３が、通常目盛画像１２及び拡大目盛画像１５両者上の同じ値を指示するように縮尺した拡大目盛画像１５を重ねる。また、背景画像１１とのコントラストが所定値よりも小さくなるように拡大目盛画像１５を重ねる。
【００４９】
その後、ＣＰＵ２５は、読み取った車両の速度、エンジン回転数などに基づいて指針画像データ、目盛画像データ、背景画像データを積層してレイヤー構造の合成画像データを生成して、合成画像エリア内に保存する画像データ処理を行う（ステップＳ９）。そして、ＣＰＵ２５は、合成画像エリア内に保存された合成画像データをグラフィックコントローラ２４に対して出力する（ステップＳ１０）。この結果、図７（Ｂ）に示すように通常目盛画像１２の内周側にうっすらと縮尺した拡大目盛画像１５が表示される。縮尺した拡大目盛画像１５は、指針画像１３の回転軸を中心とした円弧に沿って表示される。
【００５０】
そして、ＣＰＵ２５は、図５に示す第２スケールチェンジ処理を開始させた後（ステップＳ１１）、第１スケールチェンジ処理を終了する。第２スケールチェンジ処理において、ＣＰＵ２５はまず、入力手段として働き、Ｉ／Ｏ２８を介して車両データを入力して、入力した車両データに含まれる車両の速度、エンジン回転数（測定対象値）などを読み取る入力処理を行う（ステップＳ１２）。
【００５１】
その後、ＣＰＵ２５は、目盛画像エリア内に格納しているチェンジ目盛画像（＝拡大目盛画像１５）の濃度を一定量、大きくすると共に縮尺されているチェンジ目盛画像（＝拡大目盛画像１５）の尺度を一定量、大きくする（ステップＳ１３、Ｓ１４）。そして、ＣＰＵ２５は、目盛画像エリア内に格納している現目盛画像（＝通常目盛画像１２）の濃度を一定量、小さくする（ステップＳ１６）。ここで、濃度を大きくする、小さくするとは、背景画像１１とのコントラストを大きくする、小さくすることを言う。
【００５２】
次に、ＣＰＵ２５は、次に、ＣＰＵ２５は、読み取った車両の速度、エンジン回転数などに基づいて指針画像データ、目盛画像データ、背景画像データを積層してレイヤー構造の合成画像データを生成して、合成画像エリア内に保存する画像データ処理を行う（ステップＳ１６）。その後、ＣＰＵ２５は、合成画像データをグラフィックコントローラ２４に対して出力する（ステップＳ１７）。
【００５３】
そして、ＣＰＵ２５は、ステップＳ１３〜Ｓ１５がＮ回繰り返し行われていなければ（ステップＳ１８でＮ）、再びステップＳ１２に戻る。ステップＳ１３〜Ｓ１５を繰り返し行うことにより、液晶表示器１０に表示される現目盛画像（＝通常目盛画像１２）が段々薄くなる。同時にチェンジ目盛画像（＝拡大目盛画像１５）が段々濃くなると共に段々尺度が大きくなって背景画像１１の外周に近づく。なお、ＣＰＵ２５は、ステップＳ１４において指針画像１３が現目盛画像（＝通常目盛画像１２）及びチェンジ目盛画像（＝拡大目盛画像１５）両者上の同じ値を指示するように縮尺されたチェンジ目盛画像（＝拡大目盛画像１５）の尺度を一定量、大きくする。
【００５４】
そして、ＣＰＵ２５は、ステップＳ１３〜Ｓ１５がＮ回、繰り返されると（ステップＳ１８でＹ）、図６に示す第３スケールチェンジ処理を開始して（ステップＳ１９）、第２スケールチェンジ処理を終了する。この時点で、図７（Ｃ）に示すように、拡大目盛画像１５が縮尺されていない状態となり背景画像１１の外周に沿って表示される。また、拡大目盛画像１５と背景画像１１とのコントラストが所定値に達して、つまり濃度が所定濃度に達して拡大目盛画像１５がはっきりと視認される。
【００５５】
一方、通常目盛画像１２と背景画像１１とのコントラストがなくなり、通常目盛画像１２の表示が消える。第３スケールチェンジ処理においてＣＰＵ２５は、まず入力手段として働き、Ｉ／Ｏ２８を介して車両データを入力して、入力した車両データに含まれる車両の速度、エンジン回転数（測定対象値）などを読み取る入力処理を行う（ステップＳ２０）。
【００５６】
ＣＰＵ２５は、指針・目盛移動手段として働き、図７（Ｄ）に示すようにチェンジ目盛画像（＝拡大目盛画像１５）が予め定めた最終位置に向かうように指針画像１３と共にチェンジ目盛画像（＝拡大目盛画像１５）を一定量回転させて、目盛画像エリアに格納する（ステップＳ２１）。その後、ＣＰＵ２５は、読み取った車両の速度、エンジン回転数などに基づいて指針画像データ、目盛画像データ、背景画像データを積層してレイヤー構造の合成画像データを生成して、図示しないＲＡＭ（記憶手段）の合成画像エリア内に保存する画像データ処理を行い（ステップＳ２２）、合成画像データをグラフィックコントローラ２４に対して出力する（ステップＳ２３）。
【００５７】
そして、ステップＳ２０〜Ｓ２３を繰り返した結果、チェンジ目盛画像（＝拡大目盛画像１５）が最終位置に到達すると（ステップＳ２４でＹ）、「スケールチェンジ」の文字画像１４を抹消すると共にスケールチェンジフラグＦ１をオフした後（ステップＳ２５、Ｓ２６）、再び通常指示処理を開始して（ステップＳ２７）、第３スケールチェンジ処理を終了する。
【００５８】
上述した実施形態では、通常目盛画像１２から拡大目盛画像１５に切り替える例について説明したが、拡大目盛画像１５から通常目盛画像１２に切り替わる場合も同様に行われる。即ち、縮小された通常目盛画像１２が拡大目盛画像１５の内周側にうっすらと表示される。その後、拡大目盛画像１５の濃度が段々小さくなって液晶表示器１０上から消える。同時に、通常目盛画像１２の尺度が段々大きくなり背景画像１１の外周に近づくと共に濃度が段々大きくなり、この結果、拡大目盛画像１５から通常目盛画像１２に切り替わる。
【００５９】
上述した実施形態によれば、図７（Ａ）及び図７（Ｃ）を比較しても明らかなように、ＣＰＵ２５は、切替手段として働き、現目盛画像（＝通常目盛画像１２）上の指針画像１３の指示位置とチェンジ目盛画像（＝拡大目盛画像１５）上の指針画像１３上の指示位置とが一致するように現目盛画像からチェンジ目盛画像に切り替えている。これにより、現目盛画像からチェンジ目盛画像に切り替えても指針画像１３の指示位置が変わらないので、唐突な印象を受けることなく、違和感のないスケールチェンジが可能となる。
【００６０】
また、上述した実施形態によれば、ＣＰＵ２５は、スケールチェンジフラグＦ１のオン（＝切替命令）に応じて現目盛画像（＝通常目盛画像１２）が液晶表示器１０から消えるまで現目盛画像の濃度を段階的に小さくすると同時に、液晶表示器１０上にチェンジ目盛画像（＝拡大目盛画像１５）を表示させて、そして、所定濃度となるまでチェンジ目盛画像の濃度を段階的に大きくして目盛画像を切り替えている。これにより、現目盛画像が徐々に消えると同時にチェンジ目盛画像が徐々にはっきりと表示されるので、より一層、唐突な印象を受けることなく、違和感のないスケールチェンジが可能となる。
【００６１】
上述した実施形態によれば、ＣＰＵ２５が、スケールチェンジフラグＦ１のオンに応じて現目盛画像（＝通常目盛画像１２）の内周側に縮尺したチェンジ目盛画像（＝拡大目盛画像１５）を表示した後、そのチェンジ目盛画像の尺度を段階的に大きくして目盛画像を切り替えている。これにより、切替によって通常目盛画像１２と拡大目盛画像１５とを同時に表示しても両画像が重なることがなく、切替中の見た目が良くなる。
【００６２】
上述した実施形態によれば、ＣＰＵ２５が、現目盛画像（＝通常目盛画像１２）からチェンジ目盛画像（＝拡大目盛画像１５）に切り替えられた後、チェンジ目盛画像が液晶表示器１０上の予め定めた最終位置になるように指針画像１３と共にチェンジ目盛画像を移動させる。これにより、液晶表示器１０上の予め定めた最終位置、つまり最適な位置にチェンジ目盛画像を表示することができるので、切り替え後の目盛画像の表示に違和感のないスケールチェンジが可能となる。
【００６３】
上述した実施形態によれば、ＣＰＵ２５は、図７（Ｃ）に示すように、指針画像１３及びチェンジ目盛画像（＝拡大目盛画像１５）の移動中に、液晶表示器１０上に切替中の旨を表す「スケールチェンジ」の文字画像１４を表示する。従って、指針画像１３及びチェンジ目盛画像の移動が目盛画像の切替に起因することをユーザに報知でき、目盛画像の切替に起因する指針画像１３の移動を測定対象値の変化と誤認識することがなくなる。
【００６４】
なお、上述した実施形態によれば、図７（Ｂ）に示すように切替中に通常目盛画像１２及び拡大目盛画像１５を同時に表示して、通常目盛画像１２の濃度を段階的に小さくすると同時に、拡大目盛画像１５の尺度及び濃度を段階的に大きくして目盛画像を切り替えていたが、本発明はこれに限ったものではない。
【００６５】
例えば、通常目盛画像１２から拡大目盛画像１５に切り替えるときは、図８（Ａ）→図８（Ｂ）→図８（Ｃ）の順番に切り替えても良い。同図に示すように、ＣＰＵ２５は、通常目盛画像１２上の指針画像１３の指示位置が動かないように（即ち指針画像１３を中心に）通常目盛画像１２の尺度を拡大目盛画像１５の尺度と等しくなるまで段階的に大きくして目盛画像を切り替えている。逆に、拡大目盛画像１５から通常目盛画像１２に切り替えるときは、図８（Ｃ）→図８（Ｂ）→図８（Ａ）の順番に切り替える。同図に示すように、ＣＰＵ２５は、拡大目盛画像１５上の指針画像１３の指示位置が動かないように拡大目盛画像１５の尺度を通常目盛画像１２の尺度と等しくなるまで段階的に小さくして目盛画像を切り替えている。
【００６６】
また、通常目盛画像１２及び拡大目盛画像１５とが重なってしまうが、拡大目盛画像１５を縮尺しないで最初から背景画像１１の外周に沿って表示させて、通常目盛画像１２の濃度を段階的に小さくすると同時に、拡大目盛画像１５の濃度を段階的に大きくしてもよい。
【００６７】
また、上述した実施形態では、図７（Ａ）→図７（Ｂ）→図７（Ｃ）の順番に液晶表示器１０上に回転計画像３３を表示させていたが、本発明はこれに限ったものではない。例えば、図７（Ｂ）に示す表示を飛ばして、図７（Ａ）→図７（Ｃ）の順番に液晶表示器１０上に回転計画像３３を表示させてもよい。
【００６８】
また、上述した実施形態では、指針として液晶表示器１０上に表示された指針画像１３を用いていたが、本発明はこれに限ったものではない。指針としては、例えばモータなどにより駆動される指針を用いてもよい。
【００６９】
また、本発明は上述した実施形態に限ったものではない。例えば、現目盛画像が液晶表示器１０から消えるまで現目盛画像の濃度を段階的に小さくすると同時に、液晶表示器１０上にチェンジ目盛画像を表示させて、そして、所定濃度となるまでチェンジ目盛画像の濃度を段階的に大きくするだけでよく、現目盛画像上の指針画像１３の指示位置とチェンジ目盛画像上の指針画像１３の指示位置とが一致するように現目盛画像からチェンジ目盛画像に切り替える必要はない。
【００７０】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７１】
【図１】本発明の指示装置の一実施の形態を示すブロック図である。
【図２】図１に示す液晶表示器に表示される画像の一例を示す。
【図３】指示処理におけるＣＰＵの処理手順を示すフローチャートである。
【図４】第１スケールチェンジ処理におけるＣＰＵの処理手順を示すフローチャートである。
【図５】第２スケールチェンジ処理におけるＣＰＵの処理手順を示すフローチャートである。
【図６】第３スケールチェンジ処理におけるＣＰＵの処理手順を示すフローチャートである。
【図７】現目盛画像である通常目盛画像からチェンジ目盛画像である拡大目盛画像に切り替えたときの表示例を示している。
【図８】現目盛画像である通常目盛画像からチェンジ目盛画像である拡大目盛画像に切り替えたときの他の表示例を示している。
【図９】従来の指示計器の一例を示す図である。
【符号の説明】
【００７２】
１０  液晶表示器（表示手段）
１２  通常目盛画像（目盛画像）
１３  指針画像（指針）
１５  拡大目盛画像（目盛画像）
２５  ＣＰＵ（入力手段、指針移動手段、切替手段、指針・目盛移動手段、報知手段）
【図１】
0004820205.tif 000002
【図２】
0004820205.tif 000003
【図３】
0004820205.tif 000004
【図４】
0004820205.tif 000005
【図５】
0004820205.tif 000006
【図６】
0004820205.tif 000007
【図７】
0004820205.tif 000008
【図８】
0004820205.tif 000009
【図９】
0004820205.tif 000010